(57)【要約】【課題】取付枠が取付プレートから外れにくい配線器具取付部材及びそれを用いた配線装置を提供する。【解決手段】配線器具取付部材１は、壁材９に固定される金属製の取付プレート７と、取付プレート７に取り付けられる樹脂製の取付枠６を備える。取付プレート７は、スイッチ２が配置される矩形状の開口部７１と、開口部７１の周りの少なくとも２辺の縁部分からそれぞれ背面側に突き出た突出片７２を２つ有する。取付枠６は、スイッチ２を保持する保持孔６７と、２つの突出片７２のそれぞれに対応する位置から背面側に突き出て、対応する突出片７２の背面側の縁部分に引っかかる突出部６５を４つ有する。取付枠６は、それぞれの突出部６５が、取付プレート７の前側から開口部７１にはめこまれて、対応する突出片７２に突起６６が引っかかった状態で取付プレート７に取り付けられる。【選択図】図１
2015106993.tif 000002
【特許請求の範囲】
【請求項１】
配線器具が配置される矩形状の開口部、及び前記開口部の周りの少なくとも２辺の縁部分からそれぞれ背面側に突き出た複数の突出片を有し、造営材に固定される金属製の取付プレートと、
前記配線器具を保持する保持部、複数の前記突出片のそれぞれに対応する位置から背面側に突き出て、対応する前記突出片の背面側の縁部分に引っかかる複数の係止部を有し、それぞれの前記係止部が、前記取付プレートの前側から前記開口部にはめこまれて、対応する前記突出片に引っかかった状態で前記取付プレートに取り付けられる樹脂製の取付枠と
を備えることを特徴とする配線器具取付部材。
【請求項２】
請求項１に記載の配線器具取付部材と、
前記配線器具取付部材に取り付けられる配線器具と、
前記配線器具取付部材の前面を覆う化粧プレートと
を備えることを特徴とする配線装置。
【発明の詳細な説明】
【技術分野】
【０００１】
本発明は配線器具取付部材とそれを用いた配線装置、より詳細には配線器具を造営材に施工するための配線器具取付部材及びそれを用いた配線装置に関する。
【背景技術】
【０００２】
従来、配線器具が取り付けられる樹脂製の器具側枠体と、器具側枠体を造営面等に埋め込み装着するための造営面側枠体を備えた樹脂製の配線器具取付枠があった（例えば特許文献１参照）。
【０００３】
特許文献１に記載の造営面側枠体及び器具側枠体には、それぞれ枠体係止部が設けられている。配線器具を保持した器具側枠体の枠体係止部が、造営面に固定された造営面側枠体の枠体係止部に引っかかることにより、配線器具が造営面に取り付けられる。
【先行技術文献】
【特許文献】
【０００４】
【特許文献１】実開平２−６０４１７号公報
【発明の概要】
【発明が解決しようとする課題】
【０００５】
電線が接続された配線器具を保持した上記の器具側枠体を、造営面側枠体に取り付けて造営面に設置すると、造営面の裏側で電線が曲げられることがある。例えば高容量タイプの配線器具を器具側枠体に取り付けた場合、低容量タイプの配線器具に比べて線径の太い電線が配線器具に接続される。線径の太い電線は硬くて曲げにくいため、電線を曲げた状態で施工すると、電線から配線器具に大きな力が加わる可能性がある。電線から配線器具に加わった力により、器具側枠体と造営面側枠体とが互いに係止している部位が外れる方向に変形する可能性があった。
【０００６】
本発明は上記課題に鑑みて為され、取付枠が取付プレートから外れにくい配線器具取付部材及びそれを用いた配線装置を提供することを目的とする。
【課題を解決するための手段】
【０００７】
上記課題を解決するために、本発明の配線器具取付部材は、造営材に固定される金属製の取付プレートと、前記取付プレートに取り付けられる樹脂製の取付枠を備える。取付プレートは、配線器具が配置される矩形状の開口部と、前記開口部の周りの少なくとも２辺の縁部分からそれぞれ背面側に突き出た複数の突出片を有する。取付枠は、前記配線器具を保持する保持部と、複数の前記突出片のそれぞれに対応する位置から背面側に突き出て、対応する前記突出片の背面側の縁部分に引っかかる複数の係止部を有する。取付枠は、それぞれの前記係止部が、前記取付プレートの前側から前記開口部にはめこまれて、対応する前記突出片に引っかかった状態で前記取付プレートに取り付けられることを特徴とする。
【０００８】
本発明の配線装置は、前記した配線器具取付部材と、前記した配線器具取付部材に取り付けられる配線器具と、前記した配線器具取付部材の前面を覆う化粧プレートとを備えることを特徴とする。
【発明の効果】
【０００９】
本発明によれば、取付プレートの開口部の縁部分から背面側に突き出すように突出片が設けられることにより、突出片が設けられた枠部分は曲げに対してより強くなる。配線器具から取付枠に力が加えられることにより係止部から突出片に力が加えられても、取付プレートの枠部分は、突出片が係止部から外れる方向に変形しにくいため、突出片と係止部との係止状態が維持されて、取付枠が取付プレートから外れにくくなる。
【図面の簡単な説明】
【００１０】
【図１】本実施形態における配線器具取付部材の分解斜視図である。
【図２】本実施形態における分解した配線器具取付部材を示し、（ａ）は上面図、（ｂ）は右側面図である。
【図３】本実施形態における配線器具取付部材を示し、（ａ）は上面図、（ｂ）は要部拡大図、（ｃ）は右側面図である。
【図４】本実施形態における配線装置を示し、（ａ）は正面図、（ｂ）は右側面図、（ｃ）は底面図である。
【図５】本実施形態における配線装置の分解斜視図である。
【発明を実施するための形態】
【００１１】
本発明に係る配線器具取付部材を備えた配線装置の実施形態について、図１〜図５に基づいて説明する。尚、以下の説明では図４（ａ）に示す向きを基準として上下左右の方向を規定し、図４（ｂ）における左右方向を前後方向として説明する。
【００１２】
本実施形態の配線装置１０は、図５に示すように、スイッチ２（配線器具）と、配線器具取付部材１と、配線器具取付部材１の前面に取り付けられる化粧プレート３を備える。さらに配線装置１０は、配線器具取付部材１の背面に背面プレート８を備える。尚、図示する配線装置１０は、配線器具としてスイッチ２を備えているが、配線器具は例えば電源用のコンセントや電話用のコンセント等でもよい。
【００１３】
配線器具取付部材１は、取付プレート７と、スイッチ２を保持して取付プレート７に取り付けられる取付枠６を備える。
【００１４】
化粧プレート３は、内枠部５と、外枠部４を備える。
【００１５】
スイッチ２は、ケース２０と、ケース２０の前面に配置されたハンドル２３とを備える。尚、スイッチ２は、特開平１１−４５６３９号公報に開示された発明と同様の構成を有しているので、詳細な説明は省略する。
【００１６】
ケース２０は、ボディ２６とカバー２１とを一対の組立枠２７で結合して構成される。
【００１７】
ボディ２６は、例えばユリア樹脂等の樹脂材料で形成されており、前面が開口した矩形箱状に形成されている。カバー２１は、例えばユリア樹脂等の樹脂材料で形成されており、前面から見て矩形状に形成されている。カバー２１の前面には、ハンドル２３を挿入する孔２１ａが設けられていて、カバー２１の前面の上側にはランプカバー２２を挿入する孔２１ｂが設けられている。
【００１８】
カバー２１は、孔２１ａにハンドル２３が挿入された状態でボディ２６の前面を覆い、ハンドル２３をボディ２６に取り付ける。カバー２１の左右方向における中央部には、左右方向の両側部よりも前方に突き出た突台部２１ｃが設けられ、突台部２１ｃの前面が、後述する化粧プレート３の開口部４３から前方に突き出る。ボディ２６とカバー２１とは、カバー２１の左右両側部に配置される金属製の組立枠２７を用いて結合されている。それぞれの組立枠２７には、カバー２１の左右方向の外側に向かって突き出た係止爪２５が設けられている。
【００１９】
ハンドル２３は、例えばユリア樹脂等の樹脂材料により背面側が開口した矩形箱状に形成されている。ハンドル２３の前面の下側には、左右方向に細長い長円形状の突起２４が形成されている。ハンドル２３の左右両側面には、上下方向における中間部に軸（図示せず）が設けられている。ハンドル２３は、カバー２１の前面に開口した孔２１ａに裏側から挿入され、左右両側面の軸をカバー２１の軸受け部分（図示せず）に支持させることによって、ハンドル２３がカバー２１に対して回転自在に取り付けられている。ハンドル２３の上端が前方に突き出ていて、ハンドル２３の下端が後退している状態で、ハンドル２３の上側を押すと、ハンドル２３が軸を中心に回転して、ハンドル２３の上端が後退し、ハンドル２３の下端が前方に突き出た状態となる。また、この状態からハンドル２３の下側を押すと、ハンドル２３が軸を中心に回転して、ハンドル２３の下端が後退し、ハンドル２３の上端が前方に突き出た状態となる。ハンドル２３の下側（突起２４付近）を押すとスイッチ２がオンになり、ハンドル２３の上側を押すとスイッチ２がオフになる。尚、スイッチ２は、ハンドル２３の下側を押してオンになるスイッチに限定されず、ハンドル２３の上側を押してオンになってもよい。
【００２０】
ケース２０の内部には、ハンドル２３の操作に応じてオン／オフが切り替わる接点装置（図示せず）と、接点装置に電線を接続するための端子装置（図示せず）とが収納されている。またケース２０の内部には、接点装置のオン時に点灯し、接点装置のオフ時に消灯するパイロットランプ（図示せず）が収納されている。パイロットランプは例えばネオン管やＬＥＤ（Light Emitting Diode）等で構成され、カバー２１の孔２１ｂに面するように設けられている。パイロットランプは、スイッチ２がオンのときに点灯し、スイッチ２がオフの時に消灯する。尚、パイロットランプは、スイッチ２がオンのときに消灯し、スイッチ２がオフの時に点灯してもよい。
【００２１】
ランプカバー２２は、透光性を有する樹脂材料（例えばアクリル樹脂等）で形成されていて、孔２１ｂに取り付けられている。ランプカバー２２は、孔２１ｂに面して設けられたパイロットランプの光を透過するので、カバー２１の外部からパイロットランプの光が見えるようになっている。
【００２２】
取付プレート７は、四角枠状の金属板（例えば鉄板等）で構成されている。取付プレート７の中央部には、図１及び図５に示すように、挿入孔６１より大きく開口した矩形状の開口部７１が設けられている。取付プレート７には、開口部７１を囲む４辺のうち、左右の２辺の内側縁をほぼ全体に渡って後方に折り曲げることによって、平板状の突出片７２がそれぞれ設けられている。
【００２３】
取付プレート７の左右両側の枠部分には、取付プレート７をスイッチボックス（図示せず）に取り付けるための孔７３がそれぞれ設けられている。取付プレート７は、孔７３を通されたねじ（図示せず）がスイッチボックスにねじ止めされることにより、スイッチボックスに取り付けられる。
【００２４】
背面プレート８は、例えばＡＢＳ（Acrylonitrile Butadiene Styrene）樹脂等の樹脂材料で四角枠状に形成されている。背面プレート８の中央部には、開口部７１とほぼ同じ大きさの矩形状の開口部８１が設けられている。開口部８１の左右両側の枠部分には、孔７３に対応する位置に、ねじ（図示せず）を通すための孔８３がそれぞれ設けられている。背面プレート８は、配線装置１０をスイッチボックス（図示せず）に取り付ける際に取付プレート７とスイッチボックスの間に配置される。
【００２５】
取付枠６は、例えば変性ポリフェニレンエーテル樹脂等の樹脂材料により四角枠状に形成されている。取付枠６の中央部には、カバー２１の突台部２１ｃよりやや大きい挿入孔６１が設けられている。取付枠６の背面には、挿入孔６１の左右の縁部分から後方に突き出た矩形板状の突出部６５（係止部）が上下両側に設けられている。それぞれの突出部６５は、突出部６５の側面が挿入孔６１の左右の縁部分に平行するよう配置されている。
【００２６】
それぞれの突出部６５の後端部（背面方向の先端部）には、外向き（開口部７１と反対側）に突き出た突起６６（係止部）が形成されている。それぞれの突起６６の後端部は、背面方向に向かって先細のテーパー状に形成されている。
【００２７】
挿入孔６１の左右両側の縁部分には、スイッチ２の係止爪２５が挿入される保持孔６７（保持部）がそれぞれ設けられている。挿入孔６１にスイッチ２の突台部２１ｃを挿入し、係止爪２５をそれぞれ対応する保持孔６７に挿入することにより、スイッチ２が取付枠６に固定される。
【００２８】
取付枠６の上下両側の枠部の背面には、左右方向に長細の凸部６８が形成されている。凸部６８は、開口部７１における上下両側の縁部分にそれぞれ対応するように設けられている。
【００２９】
取付枠６の左右の枠部分には、取付プレート７の孔７３に挿入されるねじの頭を逃がすための孔６３がそれぞれ設けられている。それぞれの孔６３は、孔７３に対応する位置に形成されている。
【００３０】
取付枠６の上下の枠部には、内枠部５を取付枠６に固定するための孔６４がそれぞれ設けられている。
【００３１】
内枠部５は、図４（ａ）及び図５に示すように、例えばＡＢＳ樹脂等の樹脂材料により四角枠状に形成されている。内枠部５の上側の縁部分には、後方に突き出ていて取付枠６の孔６４に挿入される係止爪５２が設けられている。内枠部５の中央部には、突台部２１ｃよりもやや大きい挿入孔５３が設けられている。内枠部５の前面には、挿入孔５３の周りに、後述する化粧プレート３の開口部４３内に挿入される突出部５１が形成されている。突出部５１は、開口部４３内に挿入されたときに、内枠部５の前側に取り付けられたＵ字板４２の前面とほぼ面一となるように形成されている。係止爪５２を孔６４の縁部分に引っかけて止めることにより、内枠部５が取付枠６に取り付けられる。
【００３２】
外枠部４は、四角形状の平板の中央部が内枠部５よりも大きく開口している枠部４６と、枠部４６の前側に取り付けられたＵ字板４２とを備えている。
【００３３】
枠部４６は、例えばＡＢＳ樹脂等の樹脂材料で形成されている。枠部４６の一辺（左辺）には、他の三辺よりも前方に突き出た矩形の突出部４１が一体的に形成されている。
【００３４】
Ｕ字板４２は、四角形状の平板の中央部に突出部５１とほぼ同じ大きさの矩形孔が設けられていて、左方向に開口しているＵ字状の平板であり、枠部４６の前面よりもやや幅広く形成されている。Ｕ字板４２は、銀色の金属製の平板（例えばアルミ板等）で形成されており、接着部材（例えば両面テープ等）（図示せず）によって、枠部４６の突出部４１を除く三辺に取り付けられている。Ｕ字板４２を枠部４６に取り付けた状態で、Ｕ字板４２と突出部４１との前面はほぼ面一となっている。外枠部４の中央部には、Ｕ字板４２と突出部４１とによって開口部４３が形成されている。尚、Ｕ字板４２は、アルミ板に限定されず、適宜の材料で形成されていてよい。さらに、Ｕ字板４２を枠部４６に取り付ける方法は、接着部材を用いる方法に限定されず、例えばＵ字板４２と枠部４６とにそれぞれ係止部を設けることにより、Ｕ字板４２が枠部４６に取り付けられていてもよい。
【００３５】
枠部４６の背面には係止爪（図示せず）が設けられており、開口部４３に突台部２１ｃを挿入し、係止爪を孔６２の縁部分に引っかけて止めることによって、外枠部４が取付枠６に取り付けられる。枠部４６の外周部には、後方に突き出た側板４４が設けられており、下面の側板４４には、図４（ｃ）に示すように、枠部４６を取付枠６から取り外すための溝４５が設けられている。溝４５に例えばマイナスドライバ等の先端を挿入して、枠部４６を取付枠６から取り外すことができる。
【００３６】
ここで、配線装置１０を壁材９（造営材）に取り付ける方法を説明する。
【００３７】
壁材９に埋設されたスイッチボックス（図示せず）の内側から、壁材９の裏側に配線された電線（図示せず）を外側に引き出して、スイッチ２に取り付ける。スイッチ２の突台部２１ｃを取付枠６の背面から挿入孔６１に挿入し、スイッチ２の係止爪２５をそれぞれ取付枠６の保持孔６７に挿入すると、突台部２１ｃが取付枠６の前面から突き出た状態で、スイッチ２が取付枠６に固定される。
【００３８】
取付枠６にスイッチ２が固定された状態で、図３（ａ）〜（ｃ）に示すように、それぞれの突起６６を開口部７１の内側に位置するように取付枠６を取付プレート７の前面に配置する。取付枠６を取付プレート７の後方に向かって押し込むと、突起６６の後端部がテーパー状に形成されているので、突起６６はそれぞれ突出片７２の表面に沿うように内側に撓んで開口部７１に挿入される。取付枠６の背面が取付プレート７の前面に接するまで取付枠６を押し込むと、突起６６がそれぞれ突出片７２の後端部に引っかかり、取付枠６が取付プレート７の前面に取り付けられる。取付枠６の背面が取付プレート７の前面に接している状態で、突起６６が突出片７２に引っかかることで、取付枠６は取付プレート７に対して前後方向にずれにくくなっている。また、突出部６５の側面がそれぞれ突出片７２に開口部７１の内側から接しているため、取付枠６は取付プレート７に対して左右方向にずれにくくなっている。さらに、取付枠６が取付プレート７に取り付けられた状態で、凸部６８がそれぞれ開口部７１の縁部分に内側から接するので、取付枠６は取付プレート７に対して上下方向にずれにくくなっている。
【００３９】
スイッチ２を保持した取付枠６が取付プレート７に取り付けられた状態で、取付プレート７の孔７３を通したねじ（図示せず）と、壁材９に埋設されたスイッチボックス（図示せず）のねじ部にねじこむことで、取付プレート７が壁材９に取り付けられる。スイッチ２に接続している電線（図示せず）が、スイッチボックス内で曲げられた状態で取付プレート７が壁材９に取り付けられると、電線を曲げることによって発生する反力がスイッチ２に加えられる可能性がある。スイッチ２に加わった力により突起６６から突出片７２に力が加えられても、取付プレート７の枠部分は、突出片７２が突起６６から外れる方向に変形しにくいため、突出片７２と突起６６との係止状態が維持されて、取付枠６が取付プレート７から外れにくくなる。
【００４０】
次に取付枠６に化粧プレート３を取り付ける手順について説明する。
【００４１】
取付枠６から前面に突き出ているスイッチ２の突台部２１ｃが挿入孔５３内に挿入されるように内枠部５を取付枠６の前側に重ねると、内枠部５の背面に設けられた係止爪５２が取付枠６の孔６４に挿入され、内枠部５が取付枠６の前面に取り付けられる。さらに、取付枠６の前面に突き出ている突出部５１が外枠部４の背面から開口部４３内に挿入されるように外枠部４を取付枠６の前側に重ねると、外枠部４の背面に設けられた係止爪が孔６２に挿入され、外枠部４が取付枠６の前面に取り付けられる。内枠部５と外枠部４とを取付枠６に取り付けることにより、化粧プレート３が取付枠６に取り付けられた状態になる。
【００４２】
壁材９に取り付けられた配線装置１０は、化粧プレート３の前面（突出部４１、Ｕ字板４２、突出部５１）と突台部２１ｃの前面とがほぼ面一な状態となっている。面一な化粧プレート３の前面からハンドル２３が前方に突き出ていて（図４（ｂ）参照）、上下方向に揺動自在に配置されている。
【００４３】
以上説明したように、本実施形態の配線器具取付部材１は、壁材９（造営材）に固定される金属製の取付プレート７と、取付プレート７に取り付けられる樹脂製の取付枠６を備える。取付プレート７は、配線器具（スイッチ２）が配置される矩形状の開口部７１と、開口部７１の周りの少なくとも２辺の縁部分からそれぞれ背面側に突き出た複数（図１の実施形態では２つ）の突出片７２を有する。取付枠６は、配線器具（スイッチ２）を保持する保持部（保持孔６７）を有する。取付枠６は、複数（図１の実施形態では２つ）の突出片７２のそれぞれに対応する位置から背面側に突き出て、対応する突出片７２の背面側の縁部分に引っかかる複数（図１の実施形態では４つ）の係止部（突出部６５、突起６６）を有する。取付枠６は、それぞれの係止部（突出部６５、突起６６）が、取付プレート７の前側から開口部７１にはめこまれて、対応する突出片７２に引っかかった状態で取付プレート７に取り付けられる。
【００４４】
取付プレート７の開口部７１の縁部分から背面側に突き出すように突出片７２が設けられることにより、突出片７２が設けられた枠部分は曲げに対してより強くなる。スイッチ２から取付枠６に力が加えられることにより突起６６から突出片７２に力が加えられても、取付プレート７の枠部分は、突出片７２が突起６６から外れる方向に変形しにくいため、突出片７２と突起６６との係止状態が維持されやすくなる。そのため、取付枠６が取付プレート７から外れにくくなる。
【００４５】
金属製の突出片７２は、取付プレート７の一部を折り曲げて開口部７１における左右両側のそれぞれの縁部分全体に渡る平板状に形成されているので、突出片７２に力が加わっても変形しにくい。
【００４６】
本実施形態の配線装置１０は、配線器具取付部材１と、配線器具取付部材１に取り付けられるスイッチ２と、配線器具取付部材１の前面を覆う化粧プレート３とを備えることを特徴とする。
【００４７】
配線装置１０は、配線器具取付部材１を備えているので、配線器具（スイッチ２）に力が加わっても樹脂製の取付枠６が取付プレート７から外れにくい配線装置を提供することができる。
【００４８】
尚、本実施形態の突出片７２は、取付プレート７の左右両側の枠部における内側の一部分をそれぞれ後方に折り曲げて形成されているが、折曲形成に限定される趣旨ではない。突出片７２は、例えば取付プレート７に金属片を溶接する等、適宜の方法で取付プレート７から突き出るように形成されていればよい。
【００４９】
本実施形態の突出片７２は、開口部７１における左右両側のそれぞれの縁部分に設けられているが、突出片７２は、例えば開口部７１における上下両側のそれぞれの縁部分に設けられていてもよい。また、開口部７１における左右いずれかの縁部分と、開口部７１における上下いずれかの縁部分に設けられていてもよい。さらに、突出片７２が２つ設けられることに限定されず、３つ以上設けられてもよい。例えば開口部７１における左右両側のそれぞれの縁部分及び開口部７１における上下いずれかの縁部分に突出片７２が設けられることにより突出片７２が３つ設けられてもよい。同様に、開口部７１における４辺の縁部分にそれぞれ突出片７２が設けられることにより突出片７２が４つ設けられてもよい。
【００５０】
本実施形態の突出部６５は、挿入孔６１の四隅の隅部にそれぞれ設けられているが、突出部６５は、１つの突出片７２について１つの突出部６５が対応する適宜の位置に設けられていてよい。
【００５１】
本実施形態の突起６６はそれぞれ開口部７１の外側に向かって突き出ているが、外側に向かって突き出ていることに限定されず、突出片７２の後端部に引っかかる適宜の形状でよい。
【００５２】
本実施形態の配線装置１０は、スイッチ２を保持しているが、配線器具はスイッチ２に限定されず、取付枠６の挿入孔６１に取り付けることができる適宜の配線器具でよい。
【００５３】
本実施形態の化粧プレート３は、外枠部４と内枠部５を備えているが、外枠部４と内枠部５を備えることに限定される趣旨ではない。化粧プレート３は、配線器具取付部材１の前面を覆うことができる適宜の構成でよい。
【符号の説明】
【００５４】
１  配線器具取付部材
１０  配線装置
２  スイッチ（配線器具）
２５  係止爪
３  化粧プレート
４  外枠部
５  内枠部
６  取付枠
６１  挿入孔
６５  突出部（係止部）
６６  突起（係止部）
６７  保持孔（保持部）
７  取付プレート
７１  開口部
７２  突出片
８  背面プレート
９  壁材（造営材）
【図１】
2015106993.tif 000003
【図２】
2015106993.tif 000004
【図３】
2015106993.tif 000005
【図４】
2015106993.tif 000006
【図５】
2015106993.tif 000007